(57)【要約】【課題】公衆ネットワークを介してコンテンツデータの送受信を行うことなく複数のユーザが同じコンテンツデータを視聴できるようにする。【解決手段】ホームネットワーク１０１に接続されている端末１１１は、公衆ネットワーク１０２に接続されている電子掲示板サーバ１２１から、視聴しようとするコンテンツデータの識別情報を取得する。端末１１１とホームネットワーク１０１を介して接続されているＨＤＤレコーダ１１３は、複数のコンテンツデータを、その識別情報と関連づけて記憶している。端末１１１は、電子掲示板サーバ１２１から取得した識別情報に基づき、対応するコンテンツデータをＨＤＤレコーダ１１３から読み出す。そして、端末１１１は、読み出されたコンテンツデータを、ＨＤＤレコーダ１１３から、ホームネットワーク１０１を介して、テレビ１１２に送信させ、そのコンテンツデータをテレビ１１２に表示させる。【選択図】  図１
2010225184.tif 000002
【特許請求の範囲】
【請求項１】
ＷＷＷ（Ｗｏｒｌｄ  Ｗｉｄｅ  Ｗｅｂ）サーバに対し、公衆ネットワークを介して接続可能であり、かつ、画像情報または音声情報を含むコンテンツデータを、そのコンテンツデータの識別情報と関連づけて記憶する記憶装置およびコンテンツデータを提示するための提示装置に対し、公衆ネットワークまたはローカルネットワークを介して接続可能な情報処理端末であって、
前記記憶装置から前記提示装置で提示されているコンテンツデータについて前記記憶装置または前記提示装置に問い合わせをして、該コンテンツデータの識別情報を読み出す識別情報読み出し手段と、
前記読み出されたコンテンツデータの識別情報を、前記ＷＷＷ（Ｗｏｒｌｄ  Ｗｉｄｅ  Ｗｅｂ）サーバに送信する送信手段と
を備えることを特徴とする情報処理端末。
【請求項２】
前記送信手段は、前記識別情報読み出し手段が読み出したコンテンツデータの識別情報とともに、そのコンテンツデータの提示の際にあわせて提示する付加情報を前記ＷＷＷ（Ｗｏｒｌｄ  Ｗｉｄｅ  Ｗｅｂ）サーバに送信することを特徴とする請求項１に記載の情報処理端末。
【請求項３】
前記送信手段は、前記識別情報読み出し手段が読み出したコンテンツデータの識別情報をハイパーリンクに変形して前記ＷＷＷ（Ｗｏｒｌｄ  Ｗｉｄｅ  Ｗｅｂ）サーバに送信することを特徴とする請求項１に記載の情報処理端末。
【請求項４】
前記ＷＷＷ（Ｗｏｒｌｄ  Ｗｉｄｅ  Ｗｅｂ）サーバが、電子掲示板サーバであることを特徴とする請求項１に記載の情報処理端末。
【請求項５】
ＷＷＷ（Ｗｏｒｌｄ  Ｗｉｄｅ  Ｗｅｂ）サーバに対し、公衆ネットワークを介して接続可能であり、かつ、画像情報または音声情報を含むコンテンツデータを、そのコンテンツデータの識別情報と関連づけて記憶する記憶装置およびコンテンツデータを提示するための提示装置に対し、公衆ネットワークまたはローカルネットワークを介して接続可能な情報処理端末の情報処理方法であって、
前記記憶装置から前記提示装置で提示されているコンテンツデータについて前記記憶装置または前記提示装置に問い合わせをして、該コンテンツデータの識別情報を読み出し、
前記読み出されたコンテンツデータの識別情報を、前記ＷＷＷ（Ｗｏｒｌｄ  Ｗｉｄｅ  Ｗｅｂ）サーバに送信する
ステップを有することを特徴とする情報処理方法。
【請求項６】
ＷＷＷ（Ｗｏｒｌｄ  Ｗｉｄｅ  Ｗｅｂ）サーバに対し、公衆ネットワークを介して接続可能であって、かつ、画像情報または音声情報を含むコンテンツデータを、そのコンテンツデータの識別情報と関連づけて記憶する記憶装置およびコンテンツデータを提示するための提示装置に対し、公衆ネットワークまたはローカルネットワークを介して接続可能なコンピュータに、
前記記憶装置から前記提示装置で提示されているコンテンツデータについて前記記憶装置または前記提示装置に問い合わせをして、該コンテンツデータの識別情報を読み出させ、
前記読み出されたコンテンツデータの識別情報を、前記ＷＷＷ（Ｗｏｒｌｄ  Ｗｉｄｅ  Ｗｅｂ）サーバに送信させる
機能を備えることを特徴とする情報処理プログラム。
【請求項７】
公衆ネットワークを介してデータを配信するＷＷＷ（Ｗｏｒｌｄ  Ｗｉｄｅ  Ｗｅｂ）サーバと、
画像情報または音声情報を含むコンテンツデータを、そのコンテンツデータの識別情報と関連づけて記憶する記憶装置と、
コンテンツデータを提示するための提示装置と、
前記記憶装置および前記提示装置とローカルネットワークを介して接続された情報処理端末とを備え、
前記情報処理端末は、前記記憶装置から前記提示装置で提示されているコンテンツデータについて前記記憶装置または前記提示装置に問い合わせをして、該コンテンツデータの識別情報を読み出す識別情報読み出し手段と、
前記読み出されたコンテンツデータの識別情報を、前記ＷＷＷ（Ｗｏｒｌｄ  Ｗｉｄｅ  Ｗｅｂ）サーバに送信する送信手段と
を備えることを特徴とするネットワークシステム。
【発明の詳細な説明】
【技術分野】
【０００１】
本発明は、情報処理端末、情報処理方法、情報処理プログラムおよびネットワークシステムに係わり、特に画像情報や音声情報を含むコンテンツデータを視聴するための情報処理端末、情報処理方法、情報処理プログラムおよびネットワークシステムに関する。
【背景技術】
【０００２】
近年、インターネットのような公衆ネットワークを利用したアプリケーションとして広く普及しているサービスに電子掲示板がある（例えば、特許文献１を参照）。電子掲示板は、インターネット上にＷｅｂサイトの形態で提供されるサービスである。ユーザは、電子掲示板を提供しているＷｅｂサイトにアクセスし、自由に書き込みを行うことで情報の共有などを行うことができる。ここで、電子掲示板への書き込みは、ＷＷＷ（Ｗｏｒｌｄ  Ｗｉｄｅ  Ｗｅｂ）サーバである電子掲示板サーバのメモリへ、テキストデータなどを送信して記憶させることで実現されている。
【０００３】
このようなインターネット上の電子掲示板の利用においては、テキスト情報のみならず、例えば、映像情報や音声情報を含むコンテンツデータを電子掲示板上において共有し、各ユーザが視聴できるようにしたいという要請がある。すなわち、例えば、テレビ放送された番組や市販のＣＤの評価などについてコメントしたい場合、それらの番組やＣＤなどのコンテンツデータを電子掲示板サーバに記憶させ、ほかのユーザからの要求があった場合に、それらのデータを電子掲示板サーバから配信できるようにする。このようにすることで、各ユーザはそれらのコンテンツデータを共有して視聴することができるようになり、活発な意見交換を行うことが可能となる。
【０００４】
しかしながら、例えば、放送されたテレビ番組や市販のＣＤなどのコンテンツデータをインターネットなどの公衆ネットワーク上にある電子掲示板サーバに記憶させる場合には、それらのコンテンツデータに関連する著作権等の処理を必要とする場合がある。そのため、コンテンツデータによっては、公衆ネットワークを介してコンテンツデータを送信し、電子掲示板サーバに記憶させて、ほかのユーザが視聴できるようにすることが難しい場合もあった。
【０００５】
また、ユーザが公衆ネットワークを介してコンテンツデータを電子掲示板サーバに送信し記憶させることが可能な場合でも、例えば、コンテンツデータの容量が大きい場合には、公衆ネットワークの通信負荷や電子掲示板サーバのメモリへの負荷が大きいため、公衆ネットワークを介したコンテンツデータの送受信が制限される場合もあった。
【先行技術文献】
【特許文献】
【０００６】
【特許文献１】特開２００３−１４１０２４公報（２頁、図１）
【発明の概要】
【発明が解決しようとする課題】
【０００７】
上述したように、従来技術では、公衆ネットワークを介してデータを配信するＷＷＷサーバとの間でコンテンツデータ自身の送受信を行って、そのコンテンツデータを視聴できるようにしていたので、コンテンツデータの種類や容量などによっては、ユーザが視聴することができない場合もあった。
【０００８】
本発明は、上記従来技術の問題点を解決するためになされたものであって、ＷＷＷサーバのユーザが、公衆ネットワークを介してコンテンツデータの送受信を行うことなく、コンテンツデータを視聴できるようにした情報処理端末、情報処理方法、情報処理プログラムおよびネットワークシステムを提供することを目的とする。
【課題を解決するための手段】
【０００９】
上記目的を達成するために、本発明の情報処理端末は、ＷＷＷ（Ｗｏｒｌｄ  Ｗｉｄｅ  Ｗｅｂ）サーバに対し、公衆ネットワークを介して接続可能であり、かつ、画像情報または音声情報を含むコンテンツデータを、そのコンテンツデータの識別情報と関連づけて記憶する記憶装置およびコンテンツデータを提示するための提示装置に対し、公衆ネットワークまたはローカルネットワークを介して接続可能な情報処理端末であって、前記記憶装置から前記提示装置で提示されているコンテンツデータについて前記記憶装置または前記提示装置に問い合わせをして、該コンテンツデータの識別情報を読み出す識別情報読み出し手段と、前記読み出されたコンテンツデータの識別情報を、前記ＷＷＷ（Ｗｏｒｌｄ  Ｗｉｄｅ  Ｗｅｂ）サーバに送信する送信手段とを備えることを特徴とする。
【００１０】
また、本発明の情報処理方法は、ＷＷＷ（Ｗｏｒｌｄ  Ｗｉｄｅ  Ｗｅｂ）サーバに対し、公衆ネットワークを介して接続可能であり、かつ、画像情報または音声情報を含むコンテンツデータを、そのコンテンツデータの識別情報と関連づけて記憶する記憶装置およびコンテンツデータを提示するための提示装置に対し、公衆ネットワークまたはローカルネットワークを介して接続可能な情報処理端末の情報処理方法であって、  前記記憶装置から前記提示装置で提示されているコンテンツデータについて前記記憶装置または前記提示装置に問い合わせをして、該コンテンツデータの識別情報を読み出し、前記読み出されたコンテンツデータの識別情報を、前記ＷＷＷ（Ｗｏｒｌｄ  Ｗｉｄｅ  Ｗｅｂ）サーバに送信するステップを有することを特徴とする。
【００１１】
また、本発明の情報処理プログラムは、ＷＷＷ（Ｗｏｒｌｄ  Ｗｉｄｅ  Ｗｅｂ）サーバに対し、公衆ネットワークを介して接続可能であって、かつ、画像情報または音声情報を含むコンテンツデータを、そのコンテンツデータの識別情報と関連づけて記憶する記憶装置およびコンテンツデータを提示するための提示装置に対し、公衆ネットワークまたはローカルネットワークを介して接続可能なコンピュータに、前記記憶装置から前記提示装置で提示されているコンテンツデータについて前記記憶装置または前記提示装置に問い合わせをして、該コンテンツデータの識別情報を読み出させ、前記読み出されたコンテンツデータの識別情報を、前記ＷＷＷ（Ｗｏｒｌｄ  Ｗｉｄｅ  Ｗｅｂ）サーバに送信させる機能を備えることを特徴とする。
【００１２】
また、本発明のネットワークシステムは、公衆ネットワークを介してデータを配信するＷＷＷ（Ｗｏｒｌｄ  Ｗｉｄｅ  Ｗｅｂ）サーバと、画像情報または音声情報を含むコンテンツデータを、そのコンテンツデータの識別情報と関連づけて記憶する記憶装置と、コンテンツデータを提示するための提示装置と、前記記憶装置および前記提示装置とローカルネットワークを介して接続された情報処理端末とを備え、前記情報処理端末は、前記記憶装置から前記提示装置で提示されているコンテンツデータについて前記記憶装置または前記提示装置に問い合わせをして、該コンテンツデータの識別情報を読み出す識別情報読み出し手段と、前記読み出されたコンテンツデータの識別情報を、前記ＷＷＷ（Ｗｏｒｌｄ  Ｗｉｄｅ  Ｗｅｂ）サーバに送信する送信手段とを備えることを特徴とする。
【発明の効果】
【００１３】
本発明によれば、公衆ネットワークを介してデータを配信するＷＷＷサーバからコンテンツデータの識別情報を取得し、その識別情報に基づいて、対応するコンテンツデータをローカルネットワーク上の記憶装置から読み出して提示するので、公衆ネットワークを介してコンテンツデータの送受信を行うことなく、コンテンツデータを視聴することが可能となる。
【図面の簡単な説明】
【００１４】
【図１】本発明の第１の実施形態に係わる情報処理端末を含むネットワークシステムの構成を示すブロック図。
【図２】本発明の第１の実施形態に係わる情報処理端末の構成を示すブロック図。
【図３】本発明の第１の実施形態の動作を示すフローチャート。
【図４】電子掲示板の表示例を示す図。
【図５】本発明の第１の実施形態のコンテンツ一覧テーブルの一例を示す図。
【図６】本発明の第１の実施形態の表示装置の選択画面の一例を示す図。
【図７】本発明の第１の実施形態の識別情報の取得方法の一例を示す図。
【図８】本発明の第１の実施形態のハイパーリンクの表示方法の一例を示す図。
【図９】本発明の第１の実施形態のコンテンツデータの表示例を示す図。
【図１０】本発明の第３の実施形態に係わる情報処理端末の構成を示すブロック図。
【図１１】本発明の第４の実施形態に係わる情報処理端末を含むネットワークシステムの構成を示す図。
【図１２】本発明の第４の実施形態に係わる情報処理端末の構成を示すブロック図。
【発明を実施するための形態】
【００１５】
以下、本発明の実施形態について説明する。
（第1の実施形態）
図１は、本発明の第１の実施形態に係わる情報処理端末（以下、端末という）を含むネットワークシステムを示すブロック図である。
この第１の実施形態に係わるネットワークシステムでは、端末１１１と、テレビ１１２と、ＨＤＤ（Ｈａｒｄ  Ｄｉｓｋ  Ｄｒｉｖｅ）レコーダ１１３が、ローカルネットワークであるホームネットワーク１０１を介して接続されている。また、ホームネットワーク１０１は、ルータ１１４を介して公衆ネットワーク１０２に接続され、公衆ネットワーク１０２には、電子掲示板サーバ１２１が接続されている。
【００１６】
なお、ここで、ローカルネットワークとは、家庭内や同一建物内などの限られた範囲内に存在する端末などの間でデータの送受信を可能とすることにより構築されるネットワークをいう。また、公衆ネットワークとは、複数のローカルネットワークを相互接続することによって構築されるネットワークをいい、例えば、インターネットなどのネットワークをいう。
【００１７】
ＨＤＤレコーダ１１３は、コンテンツデータを記憶する記憶装置である。ここでは、コンテンツデータは、放送されたテレビ番組を録画して記憶したものであるものとする。また、ＨＤＤレコーダ１１３は、このようなテレビ番組を、そのテレビ番組を識別する識別情報と関連づけて記憶しているものとする。
【００１８】
ここでテレビ番組を識別する識別情報とは、その識別情報に基づいて、テレビ番組を特定することができるものであればよい。例えば、ＥＰＧ（Ｅｌｅｃｔｒｏｎｉｃ  Ｐｒｏｇｒａｍ  Ｇｕｉｄｅ）で用いられている番組情報を識別情報として用いてもよく、Ｇコードを識別情報として用いてもよい。あるいは、コンテンツＩＤフォーラムが定めるコンテンツＩＤを用いることも可能である。さらに、テレビ番組を記憶する記憶装置を提供するメーカが、自社の扱う記憶装置に、テレビ番組の録画の際に独自の識別情報を付加して記憶する機能を備えさせている場合には、その識別情報を用いることも可能である。
【００１９】
また、識別情報が付与される単位は、必ずしも番組単位である必要はなく、例えば、番組内のコーナー別に付与されたものであってもよく、番組をあらかじめ定めた時間単位で分割し、その分割された時間ごとに付与されたものであってもよい。
【００２０】
なお、ＨＤＤレコーダ１１３は、いわゆる「多チャンネル・全時間録画型レコーダ」であることが望ましい。すなわち、例えば、地上波放送（あるいは、BS放送、デジタル放送、CATV、インターネット配信コンテンツ等）の複数チャネルを２４時間以上、といったように長時間記録でき、記録された任意の番組を任意の時間に視聴できるものであることが好適である。
【００２１】
電子掲示板サーバ１２１は、参加者のすべて（あるいは、何らかの会員制のコミュニティの会員）が自由に読み書きを行うことが可能な電子掲示板サービスを提供するサーバである。電子掲示板サーバ１２１は、ユーザが電子掲示板に書き込んだドキュメントデータなどを受信して記憶し、これを電子掲示板上に表示して、ほかのユーザが閲覧できるようにしている。
【００２２】
このような電子掲示板で画像情報や音声情報を含むコンテンツデータを共有して視聴する方法として、ハイパーリンクがある。ハイパーリンクとは、ドキュメント内に埋め込まれた、他の文書や画像などの位置情報を表す文字列をいう。一般に、電子掲示板のユーザが電子掲示板上でハイパーリンクをクリックすると、電子掲示板サーバは、そのハイパーリンクで示される位置に存在するコンテンツデータをユーザの端末に表示して、ユーザが視聴できるようにする。従来技術によれば、このようなハイパーリンクで表されたコンテンツデータは、その電子掲示板サーバ、もしくは、公衆ネットワーク上のほかのＷＷＷサーバ上に存在するため、そのコンテンツデータをユーザの端末に表示するには、そのコンテンツデータは、公衆ネットワークを介してユーザの端末へ送信されることになる。
【００２３】
一方、本発明の第１の実施形態では、電子掲示板サーバ１２１からユーザの端末１１１へ公衆ネットワーク１０２を介して送信されるのは、コンテンツデータ自身ではなく、そのコンテンツデータの識別情報である。そして、ユーザが視聴するコンテンツデータは、端末１１１が属するホームネットワーク１０１上のＨＤＤレコーダ１１３に記憶されたものであるため、コンテンツデータ自身が公衆ネットワーク１０２を介して送受信されることはない。
【００２４】
このような実施形態を実現するための電子掲示板上のハイパーリンクは、例えば、「ａｎｙｄｅｖｉｃｅ＠ｌｏｃａｌｎｅｔｗｏｒｋ／ＴＶＰｒｏｇｒａｍＴｉｔｌｅ／２００５０７０８」という表現にすればよい。
【００２５】
上記例では、「ａｎｙｄｅｖｉｃｅ＠ｌｏｃａｌｎｅｔｗｏｒｋ」が、電子掲示板サーバとの間でデータの送受信を行っている端末が属するローカルネットワークに接続している任意の記憶装置を意味し、「／ＴＶＰｒｏｇｒａｍＴｉｔｌｅ／２００５０７０８」が、そのハイパーリンクがあらわすコンテンツデータ（２００５年７月８日に放送された「ＴＶＰｒｏｇｒａｍＴｉｔｌｅ」なるテレビ番組）の識別情報を表している。また、「ＴＶＰｒｏｇｒａｍＴｉｔｌｅ」は、先に述べたようなテレビ番組を識別する識別情報、すなわち、ＥＰＧで用いられている番組情報、Ｇコード、コンテンツＩＤ、放送局名など、種々の表現方式が可能である。
【００２６】
このようなハイパーリンクから、端末１１１は、コンテンツデータの識別情報を取得して、自端末が属するホームネットワーク１０１から、そのコンテンツデータを読み出す。なお、詳細な動作については、後述する。
【００２７】
端末１１１は、図２に示すように、ホームネットワーク１０１あるいは公衆ネットワーク１０２に接続された記憶装置やサーバなどとの間でデータを送受信するための通信インタフェース１１１ａと、電子掲示板を表示するための表示部１１１ｂと、電子掲示板から、コンテンツデータの識別情報を取得する識別情報取得部１１１ｃと、ホームネットワーク１０１に接続しているＨＤＤレコーダ１１３からコンテンツデータを読み出すコンテンツデータ読み出し部１１１ｄと、読み出したコンテンツデータをテレビ１１２に提供して提示（表示）させる表示制御部１１１ｅとを備える。
【００２８】
以上が本発明の第１の実施形態に係わるネットワークシステムの構成である。
次に図１から図３を用いて、本発明の第１の実施形態に係わるネットワークシステムの動作について説明する。なお、図３は、本発明の第１の実施形態に係わる端末１１１の動作を示すフローチャートである。なお、以下の説明では、ホームネットワーク１０１上の機器は相互にデータ通信可能となっているものとして説明するが、このようなホームネットワーク１０１上のデータ通信は、例えば、ホームネットワーク１０１上の各機器がＩＰアドレスを持ち、それらの各機器が、そのＩＰアドレスを宛先として制御メッセージなどのデータを送受信することにより実現することができる。この場合、例えば、ホームネットワーク１０１上の機器のうち、テレビ番組を録画している記憶装置を発見する場合には、端末１１１からホームネットワーク１０１上の機器へ、テレビ番組を録画して記憶する記憶装置であるか否かの応答を求める要求メッセージをマルチキャストで送信し、これに対して肯定する応答メッセージを送信した記憶装置との間で、以下のような動作を行えばよい。表示装置についても同様である。
【００２９】
まず、ユーザは端末１１１が有するＷｅｂブラウザなどを利用して電子掲示板を端末１１１の表示部１１１ｂに表示する（ステップＳ１０１）。図４は、電子掲示板の表示例である。このような端末１１１の表示部１１１ｂへの電子掲示板の表示は、例えば、一般に広く用いられているＷｅｂブラウザなどによって行えばよい。
【００３０】
次に、端末１１１の識別情報取得部１１１ｃは、例えば、電子掲示板上のハイパーリンクをクリックするなどのユーザからの指示により、電子掲示板サーバ１２１から、コンテンツデータの識別情報を取得する（ステップＳ１０２）。なお、電子掲示板サーバ１２１が提供する電子掲示板のＷｅｂサイトのデータが、すでに端末１１１のメモリ（図示しない）に記憶されている場合には、新たに電子掲示板サーバ１２１にアクセスすることなく、端末１１１のメモリに記憶されたデータから、コンテンツデータの識別情報を取得するようにしてもよい。
【００３１】
このようにして端末１１１の識別情報取得部１１１ｃがコンテンツデータの識別情報を取得すると、次に、端末１１１のコンテンツデータ読み出し部１１１ｄが、ホームネットワーク１０１に接続されたＨＤＤレコーダ１１３から、取得したコンテンツデータの識別情報に対応するコンテンツデータを検索して読み出す（ステップＳ１０３）。
【００３２】
ホームネットワーク１０１に接続されたＨＤＤレコーダ１１３から、取得したコンテンツデータの識別情報に対応するコンテンツデータを検索して読み出す方法としては、例えば、ＨＤＤレコーダ１１３から端末１１１に、あらかじめＨＤＤレコーダ１１３が有するコンテンツデータの識別情報を送信させておく方法が考えられる。すなわち、端末１１１のメモリに、ＨＤＤレコーダ１１３から送信されたコンテンツデータの識別情報をコンテンツデータ一覧テーブルとして記憶しておく。そして、特定の識別情報に対応するコンテンツデータを読み出す場合には、このテーブルに基づいてＨＤＤレコーダ１１３に記憶されているコンテンツデータを読み出すようにすればよい。
【００３３】
図５に、コンテンツデータ一覧テーブルの一例を示す。ここでは、番組名ごとに、その番組名の放送時刻と、放送局、記憶されている記憶装置の情報、および、最後にテーブルを更新した時刻が記憶されている。また、コンテンツデータ一覧テーブルには、「ｃｃｃ−ａｌｌ」のように、「ｃｃｃ」放送局で「２００５／０１／０１」から「２００５／０７／１４」までに放送された番組がすべて記憶されていることを表す識別情報を、コンテンツデータと関連づけて記憶しておいてもよい。なお、このようなコンテンツデータ一覧テーブルは、定期的に更新しておき、常に最新の内容が記憶されているようにすることが望ましい。
【００３４】
これとは別に、例えば、コンテンツデータを読み出そうとするたびに、端末１１１からＨＤＤレコーダ１１３へコンテンツデータの識別情報を送信し、ＨＤＤレコーダ１１３に対応するコンテンツデータを有するか否かを回答させるようにしてもよい。
【００３５】
なお、記憶装置がＨＤＤレコーダ１１３以外にも複数ある場合には、端末１１１からコンテンツデータの識別情報をホームネットワーク１０１上の記憶装置にマルチキャストで（または、順に）送信し、各記憶装置からの回答を受信することでコンテンツデータの所在を検索するようにしてもよい。また、ホームネットワーク１０２上に複数の記憶装置が存在する場合には、それらの記憶装置が記憶しているコンテンツデータを一元的に管理する、いわゆる家庭内ディレクトリサーバを設けておき、端末１１１のコンテンツデータ読み出し部１１１ｄから、この家庭内ディレクトリサーバにコンテンツデータの識別情報を送信して、対応するコンテンツデータの所在を回答させてもよい。あるいは、各記憶装置に優先順位をつけておき、その優先順位にしたがって各記憶装置から順番にコンテンツデータを検索していってもよい。
【００３６】
さらに、各記憶装置に記憶されているコンテンツデータが、例えば、圧縮率が異なっているために画質に差があるような場合には、もっとも高画質な（圧縮率の低い）コンテンツデータを読み出すようにしてもよい。あるいは、読み出した各コンテンツデータを、ホームネットワーク１０１を介して端末１１１に送信させて表示部１１１ｂに表示し、この中からユーザが任意に選択できるようにしてもよい。
【００３７】
ここで、上述したようにＨＤＤレコーダ１１３は、大容量の記憶装置であるとしているが、一部のテレビ番組しか録画していないために、コンテンツデータが発見できない場合や、一度記憶したもののＨＤＤレコーダ１１３から削除してしまったために、発見できない場合なども考えられる。このような場合には、コンテンツデータ読み出し部１１１ｄは、ＨＤＤレコーダ１１３から、対応するコンテンツデータを有さない旨の回答を受信する。そして、端末１１１は、表示部１１１ｂに、コンテンツデータを表示できない旨を表示すればよい。
【００３８】
端末１１１のコンテンツデータ読み出し部１１１ｄがＨＤＤレコーダ１１３に記憶されているコンテンツデータを読み出すと、次に、端末１１１の表示制御部１１１ｅが、その読み出されたコンテンツデータを、ＨＤＤレコーダ１１３から、ホームネットワーク１０１上のテレビ１１２に送信させて表示させる（ステップＳ１０４）。
【００３９】
具体的には、まず、端末１１１の表示制御部１１１ｅからＨＤＤレコーダ１１３へ、コンテンツデータの送信と、その送信先（テレビ１１２）を指示する制御メッセージを送信する。表示制御部１１１ｅはこれとあわせて、テレビ１１２へ、ＨＤＤレコーダ１１３から送信されたコンテンツデータを受信して表示するように指示する制御メッセージを送信する。
【００４０】
なお、テレビ１１２へのコンテンツデータの送信は、ＨＤＤレコーダ１１３からテレビ１１２へ直接送信するようにしてもよいが、まず、送信されるコンテンツデータを端末１１１で受信し、これを転送する形でテレビ１１２に対して送信するようにしてもよい。このとき、端末１１１において、例えば、表示部１１１ｂに受信したコンテンツデータを表示しながら、テレビ１１２への転送を行うようにしてもよい。
【００４１】
以上は、いわゆる「サードパーティセットアップ」と呼ばれる、第三者である端末１１１が、ＨＤＤレコーダ１１３とテレビ１１２に対して、それぞれ制御メッセージを送信する例である。これとは別に、例えば、端末１１１の表示制御部１１１ｅからテレビ１１２に対して、ＨＤＤレコーダ１１３からコンテンツデータを送信させ（プルして）、これを受信して表示するように指示する制御メッセージを送信することで、コンテンツデータをテレビ１１２に表示させるようにしてもよい。
【００４２】
なお、コンテンツデータを表示する表示装置が複数ある場合には、例えば、あらかじめホームネットワーク１０１に接続された複数の表示装置の情報を端末１１１に記憶しておき、この中からユーザが選択できるようにしてもよい。すなわち、端末１１１の表示部１１１ｂに、例えば、図６に示すような、ユーザに表示装置を選択させる画面を表示させて、この画面でユーザが選択した表示装置にコンテンツデータを表示させるようにすればよい。
【００４３】
なお、上述した説明において、ＨＤＤレコーダ１１３からテレビ１１２へのコンテンツデータの送信の際には、ＨＤＤレコーダ１１３で再生されたコンテンツデータをテレビ１１２へ送信して、テレビ１１２に表示するようにしてもよいが、テレビ１１２がコンテンツデータの再生機能を有する場合には、コンテンツデータの再生をテレビ１１２で行うようにすることも可能である。さらに、ＨＤＤレコーダ１１３に記憶されているコンテンツデータを、端末１１１を介してテレビ１１２へ転送する場合には、端末１１１でコンテンツデータの再生を行い、再生されたコンテンツデータをテレビ１１２へ転送して表示するようにすることも可能である。
【００４４】
このようにして、ＨＤＤレコーダ１１３に記憶されているコンテンツデータを、ホームネットワーク１０１を介してテレビ１１２に送信して表示させるようにすることで、ユーザは、そのコンテンツデータを視聴することが可能になる。このとき、公衆ネットワーク１０２を介して電子掲示板サーバ１２１と端末１１１との間で送受信されているデータは、コンテンツデータの識別情報であり、コンテンツデータ自身は公衆ネットワーク１０２を介しては送受信されていない。そのため、上述したように、例えば、コンテンツデータの容量が公衆ネットワークで送受信できる容量を超えているために、公衆ネットワークを介してコンテンツデータを送受信できない、といった問題が生じることがない。
【００４５】
このように、第１の実施形態に係わる端末１１１を含むネットワークシステムによれば、端末１１１は、公衆ネットワーク１０２に接続された電子掲示板サーバ１２１から、コンテンツデータの識別情報を取得し、そのコンテンツデータの識別情報に基づいて、ホームネットワーク１０１に接続された記憶装置（ＨＤＤレコーダ１１３）に記憶されたコンテンツデータを、ホームネットワーク１０１を介してテレビ１１２に表示させることが可能になる。そのため、コンテンツデータの種類や容量などにより、そのコンテンツデータが公衆ネットワークを介して送受信できない場合でも、ユーザは容易にコンテンツデータの視聴を行うことが可能になる。
【００４６】
なお、上述した実施形態では、コンテンツデータは、端末１１１からの指示によってテレビ１１２において表示されることとしていたが、端末１１１の表示部１１１ｂ上に表示するようにしてもよい。この場合、まず、端末１１１は、ＨＤＤレコーダ１１３に対して、コンテンツデータ読み出し部１１１ｄが読み出したコンテンツデータを端末１１１に送信させる。そして、端末１１１は、ＨＤＤレコーダ１１３が送信したコンテンツデータを受信して、表示部１１１ｂに表示するようにすればよい
【００４７】
また、上述した実施形態では、コンテンツデータは、端末１１１とホームネットワーク１０１を介して接続されたＨＤＤレコーダ１１３から読み出すようにしているが、端末１１１のメモリにも、コンテンツデータが識別情報とともに記憶されている場合には、コンテンツデータ読み出し部１１１ｄが、そのメモリ上を検索してコンテンツデータを読み出すようにしてもよい。
【００４８】
また、上述した実施形態では、ＷＷＷサーバとして電子掲示板サーバからコンテンツデータの識別情報を取得する実施の形態を説明したが、ＷＷＷサーバは電子掲示板サーバでなくともよい。すなわち、例えば、他人による書き込みを認めていないＷｅｂサイト（電子掲示板を有さないホームページなど）を提供するサーバであっても、コンテンツデータの識別情報をハイパーリンク形式で記述しているような場合に、ハイパーリンクからコンテンツデータの識別情報を取得して、そのコンテンツデータを視聴できるようにすることも可能である。
【００４９】
また、上述した実施形態では、コンテンツデータを放送されたテレビ番組、記憶装置をＨＤＤレコーダとしたが、コンテンツデータは、例えば、音楽や静止画像などであってもよく、記憶装置も、例えば、メモリを有するＡＶ機器などであってもよい。
【００５０】
また、上述した実施形態では、コンテンツデータの識別情報は、電子掲示板上にハイパーリンクとして表現されているものとしたが、必ずしも、ハイパーリンクとして表現されていなくてもよい。例えば、電子掲示板上にハイパーリンクではない、単なる文字列として識別情報が表現されていた場合であっても、端末１１１が、その文字列を指定して選択できる機能を有していればよい。その方法として、例えば、図７に示すように、電子掲示板上に記載されたコンテンツデータの識別情報を、マウスカーソルなどを用いて選択できるようにして、識別情報取得部１１１ｂが、その選択された部分から、コンテンツデータの識別情報を取得するようにすればよい。
【００５１】
また、ハイパーリンクは、電子掲示板にコンテンツデータの識別情報が直接文字列として記述されたものではなく、例えば、図８に示すように、識別情報がドキュメントデータに埋め込まれており、この埋め込まれた部分の文字列をクリックすることで識別情報を取得できるようなものであってもよい。このようなドキュメントデータへの識別情報の埋め込みは、例えば、ドキュメント記述言語としてＨＴＭＬを用いる場合には、「＜Ａ  ＨＲＥＦ＝“ａｎｙｄｅｖｉｃｅ＠ｌｏｃａｌｎｅｔｗｏｒｋ／ＴＶＰｒｏｇｒａｍＴｉｔｌｅ／２００５０７０８”＞ここ＜／Ａ＞などと記述することにより実現することができる。
【００５２】
なお、この端末１１１は、例えば、汎用のコンピュータ装置を基本ハードウェアとして用いることでも実現することが可能である。すなわち、識別情報取得部１１１ｃ、コンテンツデータ読み出し部１１１ｄ、および表示制御部１１１ｅは、上記のコンピュータ装置に搭載されたプロセッサにプログラムを実行させることにより実現することができる。このとき、端末１１１は、上記のプログラムをコンピュータ装置にあらかじめインストールすることで実現してもよいし、ＣＤ−ＲＯＭなどの記憶媒体に記憶して、あるいはネットワークを介して上記のプログラムを配布して、このプログラムをコンピュータ装置に適宜インストールすることで実現してもよい。さらに、端末１１１は、上述した機能に加えて、テレビとしての機能やＨＤＤレコーダとしての機能を持ったものであってもよい。
【００５３】
（第２の実施形態）
上述した第１の実施形態では、端末１１１は、電子掲示板サーバからコンテンツデータの識別情報を取得し、これを用いてコンテンツデータをＨＤＤレコーダ１１３から読み出していた。
【００５４】
第２の実施形態では、コンテンツデータの識別情報のほかに、コンテンツデータの一部分だけを表示するために、その部分を特定する情報や、コンテンツデータを表示する際の表示速度（再生速度）を指定する情報や、コンテンツデータが複数の言語を含んでいる場合（例えば、音声多重放送のテレビ番組であるような場合）に、使用する言語を指定する情報や、コンテンツデータの表示の際にあわせて表示する（挿入する）付加情報などの、コンテンツデータの提示方法を指定する情報をも電子掲示板サーバ１２１から取得し、これらの情報に基づいてコンテンツデータを提示する実施の形態について説明する。
【００５５】
本発明の第２の実施形態に係わるネットワークシステムでは、第１の実施形態に係わるネットワークシステムにおいて、端末１１１の識別情報取得部１１１ｃが、コンテンツデータの識別情報とともに、上述したようなコンテンツデータの提示方法を指定する情報をもあわせて取得し、表示制御部１１１ｅが、その方法にしたがってコンテンツデータの提示を行うようにＨＤＤレコーダ１１３およびテレビ１１２を制御する点が異なる。
【００５６】
まず、電子掲示板において、上述したようなコンテンツデータの識別情報とともに、コンテンツデータの提示方法を指定する情報をも含んだハイパーリンクの例を以下に示す。
【００５７】
まず、コンテンツデータの一部分だけを表示するために用いられる、コンテンツデータの表示すべき部分を特定する情報を含んだハイパーリンクとしては、例えば、「ａｎｙｄｅｖｉｃｅ＠ｌｏｃａｌｎｅｔｗｏｒｋ／ＴＶＰｒｏｇｒａｍＴｉｔｌｅ／２００５０７０８／０９３００−０９３０３０」という表現を用いればよい。上記例は、２００５年７月８日に放送された「ＴＶＰｒｏｇｒａｍＴｉｔｉｌｅ」というテレビ番組の９時３０分から９時３０分３０秒までの部分を特定する例である。表示制御部１１１ｆは、コンテンツデータ読み出し部１１１ｄで読み出したコンテンツデータのうち、このように特定された部分だけをＨＤＤレコーダ１１３からテレビ１１２へ送信させて表示させる。
【００５８】
また、特定のＡＶ機器について、その機種ごと、あるいはメーカごとに、例えば、コンテンツデータの特定のシーンを指定することのできる、いわゆる「メタデータ」が定義されている場合も考えられる。このような場合には、そのメタデータを用いてコンテンツデータの一部分を特定して表示するようにすることも可能である。
【００５９】
例えば、「ＡＢＣ社」の「ＤＥＦ」という記憶装置が、記憶するテレビ番組について、シーンごと（例えば、テレビ番組のコーナーごとや、ニュース番組におけるニュースごとなど）に、メタデータとして、順番に番号を付して記憶しているような場合を考える。この場合、コンテンツデータの表示すべき部分を特定する情報を含んだハイパーリンクとしては、例えば、「ＡＢＣ−ＤＥＦ＠ｌｏｃａｌｎｅｔｗｏｒｋ／ＴＶＰｒｏｇｒａｍＴｉｔｌｅ／２００５０７０８／０９３０００−１０００００／ｓｈｏｔ−ｎｕｍｂｅｒ＝３」という表現を用いることができる。
【００６０】
上記例では、「ＡＢＣ−ＤＥＦ＠ｌｏｃａｌｎｅｔｗｏｒｋ」が、端末１１１が属するローカルネットワーク（すなわち、ホームネットワーク１０１）に接続している「ＡＢＣ社」の「ＤＥＦ」という記憶装置を意味する。そして、「ＴＶＰｒｏｇｒａｍＴｉｔｌｅ／２００５０７０８／０９３０００−１０００００／ｓｈｏｔ−ｎｕｍｂｅｒ＝３」という表現により、２００５年７月８日に放送された「ＴＶＰｒｏｇｒａｍＴｉｔｌｅ」という番組の９時３０分から１０時までの間における「第３番目のショット（シーン）」を特定している。そして、端末１１１のコンテンツデータ読み出し部１１１ｄは、ホームネットワーク１０１上の「ＡＢＣ社」の「ＤＥＦ」という記憶装置から上記コンテンツデータを読み出し、表示制御部１１１ｆは、コンテンツデータ読み出し部１１１ｄで読み出したコンテンツデータのうち、このように特定された部分だけをテレビ１１２へ送信させて表示させる。
【００６１】
このようにすることで、特定の機種ごとに定義された「メタデータ」を用いて、特定のシーンを指定して表示させることが可能になる。
次に、コンテンツデータを表示する速度（再生速度）を指定する情報を含んだハイパーリンクとしては、例えば、「ａｎｙｄｅｖｉｃｅ＠ｌｏｃａｌｎｅｔｗｏｒｋ／ＴＶＰｒｏｇｒａｍＴｉｔｌｅ／２００５０７０８／？ｓｐｅｅｄ＝２」という表現を用いればよい。上記例は、２００５年７月８日に放送された「ＴＶＰｒｏｇｒａｍＴｉｔｉｌｅ」というテレビ番組を、通常の２倍の速度で表示するように指定する例である。表示制御部１１１ｆは、コンテンツデータ読み出し部１１１ｄで読み出したコンテンツデータをＨＤＤレコーダ１１３からテレビ１１２へ送信させ、ＨＤＤレコーダ１１３を制御して、そのコンテンツデータを通常の２倍の速度で再生して表示させる。
【００６２】
次に、コンテンツデータが複数の言語を含んでいる場合（例えば、音声多重放送のテレビ番組であるような場合）に、使用する言語を指定する情報を含んだハイパーリンクとしては、例えば、「ａｎｙｄｅｖｉｃｅ＠ｌｏｃａｌｎｅｔｗｏｒｋ／ＴＶＰｒｏｇｒａｍＴｉｔｌｅ／２００５０７０８／？ａｕｄｉｏ＝ｓｕｂ」という表現を用いればよい。上記例は、２００５年７月８日に放送された「ＴＶＰｒｏｇｒａｍＴｉｔｉｌｅ」というテレビ番組を、副音声で出力するように指定する例である。表示制御部１１１ｆは、コンテンツデータ読み出し部１１１ｄで読み出したコンテンツデータのうち、副音声にあたる部分をＨＤＤレコーダ１１３からテレビ１１２へ送信させて出力させる。
【００６３】
次に、コンテンツデータの表示の際に挿入すべき付加情報を含んだハイパーリンクとしては、例えば、上述した「ａｎｙｄｅｖｉｃｅ＠ｌｏｃａｌｎｅｔｗｏｒｋ／ＴＶＰｒｏｇｒａｍＴｉｔｌｅ／２００５０７０８」という表現を用い、ドキュメントに記述する場合に、ドキュメント記述言語としてＨＴＭＬを用いて「＜ｔｔ＝ｔｅｘｔ  “このシーンのこの俳優が一番好きです”  ｃｏｎｔｅｎｔ  ＵＲＩ＝“ａｎｙｄｅｖｉｃｅ＠ｌｏｃａｌｎｅｔｗｏｒｋ／ＴＶＰｒｏｇｒａｍＴｉｔｌｅ／２００５０７０８”  ｂｅｇｉｎ＝“０９：３０：００”  ｄｕｒａｔｉｏｎ＝“３０：００”  ｌｏｃａｔｉｏｎ＝“（ＸＸＸ，ＹＹＹ）”  ｍｅｄｉｕｍ  “ａｒｒｏｗ”  ／＞」とすればよい。
【００６４】
上述した記述では、ユーザの「このシーンのこの俳優が一番好きです」というコメントに、ハイパーリンクとして「ａｎｙｄｅｖｉｃｅ＠ｌｏｃａｌｎｅｔｗｏｒｋ／ＴＶＰｒｏｇｒａｍＴｉｔｌｅ／２００５０７０８」が割り当てられる。そして、その後に続く「ｂｅｇｉｎ＝“０９：３０：００”  ｄｕｒａｔｉｏｎ＝“００：００：３０”  ｌｏｃａｔｉｏｎ＝“（ＸＸＸ，ＹＹＹ）”  ｍｅｄｉｕｍ＝  “ａｒｒｏｗ”」という記述は、このコンテンツデータを表示する場合に、９時３０分から３０秒間は、表示画面の（ＸＸＸ，ＹＹＹ）という位置に、付加情報としての矢印を表示すべきことを表している。
【００６５】
端末１１１の識別情報取得部１１１ｃは、コンテンツデータの識別情報である「／ＴＶＰｒｏｇｒａｍＴｉｔｌｅ／２００５０７０８」とともに、このコンテンツデータを表示する際に挿入する付加情報として、「このシーンのこの俳優が一番好きです」というテキストと、特定の場所（「ｌｏｃａｔｉｏｎ＝“（ＸＸＸ，ＹＹＹ）”」）に表示する記号（「ｍｅｄｉｕｍ＝  “ａｒｒｏｗ”」）の情報と、これらのテキストと記号をコンテンツデータに挿入して表示する時間（「ｂｅｇｉｎ＝“０９：３０：００”  ｄｕｒａｔｉｏｎ＝“００：００：３０”」）の情報をもあわせて取得する。そして表示制御部１１１ｅは、コンテンツデータをＨＤＤレコーダ１１３からテレビ１１２に送信させて表示させる場合には、これらの付加情報をコンテンツデータに挿入して表示するようにＨＤＤレコーダ１１３とテレビ１１２を制御する。図９に、このようにして指定された付加情報をコンテンツデータに挿入して表示した場合の例を示す。
【００６６】
なお、コンテンツデータへの付加情報の挿入は、ＨＤＤレコーダ１１３で行ってもよく、テレビ１１２で行ってもよい。ＨＤＤレコーダ１１３で行う場合には、表示制御部１１１ｅは、まず、付加情報をＨＤＤレコーダ１１３に送信し、ＨＤＤレコーダ１１３で付加情報が挿入されたコンテンツデータを生成させる。そして、生成されたコンテンツデータをテレビ１１２に送信させて表示させる。一方、テレビ１１２で行う場合には、表示制御部１１１ｅは、まず、ＨＤＤレコーダ１１３にコンテンツデータをテレビ１１２へ送信させる。これとあわせて、表示制御部１１１ｅは、テレビ１１２に付加情報を送信し、ＨＤＤレコーダ１１３から送信されるコンテンツデータに、その付加情報を挿入して表示するように指示する制御メッセージを送信する。これに対応して、テレビ１１２は、ＨＤＤレコーダ１１３から送信されるコンテンツデータに付加情報を挿入し、これを表示する。
【００６７】
このように、本発明の第２の実施形態に係わる端末１１１を含むネットワークシステムによれば、端末１１１は、電子掲示板サーバ１２１から、コンテンツデータの識別情報とともに、コンテンツデータの提示方法を指定する情報をも合わせて取得するので、電子掲示板に書き込みを行ったユーザの意図するコンテンツデータの提示方法にしたがって、コンテンツデータの視聴を行うことが可能となる。
【００６８】
（第３の実施形態）
第１の実施形態では、端末１１１が電子掲示板サーバ１２１からコンテンツデータの識別情報を取得し、対応するコンテンツデータをＨＤＤレコーダ１１３から読み出して視聴する実施の形態について説明した。第３の実施形態では、端末１１１がＨＤＤレコーダ１１３に記憶されているコンテンツデータの識別情報を電子掲示板サーバ１２１へ送信する実施の形態について説明する。
【００６９】
すなわち、第１の実施形態が、端末１１１のユーザが、電子掲示板に記載されているコンテンツデータの識別情報に基づいてコンテンツデータを視聴する場合であったのに対して、第３の実施形態は、逆に、端末１１１のユーザが、電子掲示板にコンテンツデータの識別情報を書き込む場合の実施の形態である。
【００７０】
第３の実施形態では、図１０に示すように、端末１１１は、さらにＨＤＤレコーダ１１３に記憶されているコンテンツデータの識別情報を読み出す識別情報読み出し部１１１ｆを備えている。
【００７１】
ここで、電子掲示板に書き込もうとしているコンテンツデータの識別情報は、端末１１１の表示部１１１ｂに表示されているコンテンツデータに対応するものであるとする。そして、そのコンテンツデータは、ＨＤＤレコーダ１１３に記憶されているものであるとする。
【００７２】
この場合、まず端末１１１の識別情報読み出し部１１１ｆは、ＨＤＤレコーダ１１３へ、ＨＤＤレコーダ１１３が端末１１１へ送信しているコンテンツデータの識別情報を問い合わせるメッセージを送信する
【００７３】
ＨＤＤレコーダ１１３は、この問い合わせメッセージを受信して、端末１１１に送信しているコンテンツデータの識別情報を端末１１１に送信する。そして、端末１１１はこれを受信して、電子掲示板サーバ１２１に送信する（電子掲示板に書き込む）。
【００７４】
具体的には、ユーザが、端末１１１で、ＨＤＤレコーダ１１３に記憶されているコンテンツデータ（テレビ番組）を視聴しているときに、その番組についてのコメントを掲示板へ書き込みたいと考えたとする。そのとき、ユーザは、そのテレビ番組を一時停止の状態としたり、あるいは、電子的なしおりなどでマーキングを行うなどしたりする。そして、端末１１１の識別情報読み出し部１１１ｆは、その一時停止、あるいは、マーキングされたテレビ番組の識別情報をＨＤＤレコーダ１１３に問い合わせることで、その識別情報をＨＤＤレコーダ１１３から読み出す。
【００７５】
このとき、端末１１１において、テレビ番組を表示するアプリケーションと電子掲示板を表示するブラウザなどのアプリケーションを連携させておき、テレビ番組を表示するアプリケーションに表示されているテレビ番組の特定のシーンを、電子掲示板を表示しているブラウザへドラッグ＆ドロップすることを契機として、識別情報読み出し部１１１ｆがＨＤＤレコーダ１１３から識別情報を取得するようにするとよい。
【００７６】
識別情報読み出し部１１１ｆが所望のコンテンツデータの識別情報を取得すると、端末１１１は、通信インタフェース１１１ａを介して、取得した識別情報を、例えば、「ａｎｙｄｅｖｉｃｅ＠ｌｏｃａｌｎｅｔｗｏｒｋ／ＴＶＰｒｏｇｒａｍＴｉｔｌｅ／２００５０７０８」というようなハイパーリンクに変形して、電子掲示板サーバ１２１に送信する。
【００７７】
また、このとき、識別情報読み出し部１１１ｆが読み出したコンテンツデータの識別情報とともに、そのコンテンツデータのうち、表示すべき部分を特定する情報などのコンテンツデータの提示方法を指定する情報をもあわせてハイパーリンクに含めて送信するようにしてもよい。すなわち、コンテンツデータがテレビ番組である場合、例えば、テレビ番組の特定のシーンだけを表示するようにしたければ、上述したように、一時停止したり、あるいは、電子的なしおりでマーキングしたりした部分の時刻の情報（例えば、一時停止した時刻前後のあらかじめ定めた時間）を、「ａｎｙｄｅｖｉｃｅ＠ｌｏｃａｌｎｅｔｗｏｒｋ／ＴＶＰｒｏｇｒａｍＴｉｔｌｅ／２００５０７０８／０９３０００−０９３０３０」というようなハイパーリンクとして送信するようにすればよい。
【００７８】
また、ＨＤＤレコーダ１１３に記憶されているコンテンツデータが、端末１１１の表示部１１１ｂではなく、テレビ１１２に表示されている場合に、そのコンテンツデータについてのコメントを端末１１１に表示されている電子掲示板に書き込みたい場合も考えられる。このような場合には、端末１１１の識別情報読み出し部１１１ｆが、ＨＤＤレコーダ１１３へ、ＨＤＤレコーダ１１３がテレビ１１２に送信しているコンテンツデータの識別情報を問い合わせるメッセージを送るようにすればよい。あるいは、テレビ１１２に対して、現在表示しているコンテンツデータの識別情報を問い合わせるメッセージを送り、テレビ１１２にＨＤＤレコーダ１１３から識別情報を読み出させて、それを回答させるようにしてもよい。
【００７９】
このように、本発明の第３の実施形態に係わる端末１１１を含むネットワークシステムのように、コンテンツデータを記憶する記憶装置であるＨＤＤレコーダ１１３から所望のコンテンツデータの識別情報を読み出し、これを電子掲示板サーバ１２１へ送信できるようにすることで、電子掲示板サーバ１２１との間でコンテンツデータ自体の送受信を行うことなく、電子掲示板のユーザにコンテンツデータを特定して視聴させることが可能になる。
【００８０】
（第４の実施形態）
第１の実施形態では、端末１１１はホームネットワーク１０１を介してＨＤＤレコーダ１１３およびテレビ１１２とデータの送受信を行っていた。
第４の実施形態では、電子掲示板を表示する端末が携帯端末であり、携帯端末とＨＤＤレコーダおよびテレビとの間のデータ通信が公衆ネットワークを介して行われる実施の形態について説明する。
【００８１】
近年、携帯電話のような携帯端末の高機能化が進み、携帯端末でもＷｅｂサイトを閲覧できる技術が開発されている。しかし、携帯端末は持ち運びを容易とするために、ディスプレイが小さいなどの特徴を有し、例えば、テレビ番組などを高画質で表示したり、表示しているテレビ番組に、ほかのユーザのコメントを挿入して表示したりするような用途には向かない。
【００８２】
そこで、本発明の第４の実施の形態では、電子掲示板の表示は携帯端末に表示させる一方で、電子掲示板に記載されているコンテンツデータは、ホームネットワーク上のテレビなどのような、携帯端末と比較して大きな画面を有する表示装置に表示させる実施の形態について説明する。
【００８３】
図１１は、本発明の第４の実施形態に係わる情報処理端末（以下、端末という）を含むネットワークシステムを示すブロック図である。
この第４の実施形態に係わるネットワークシステムでは、テレビ２１２とＨＤＤレコーダ１１３が、ローカルネットワークであるホームネットワーク２０１を介して接続されている。また、ホームネットワーク２０１は、ルータ２１４を介して公衆ネットワーク２０２に接続され、公衆ネットワーク２０２には、電子掲示板サーバ２２１が接続されている。本実施携帯では、端末２１１は、公衆ネットワーク２０２に接続されており、ホームネットワーク２０１上のテレビ２１２およびＨＤＤレコーダ２１３とは、公衆ネットワーク２０２を介してデータの送受信を行う。
【００８４】
ここで、端末２１１は、図１２に示すように、公衆ネットワーク２０２を介してホームネットワーク２０１に接続された記憶装置や、公衆ネットワーク２０２上のサーバなどとの間でデータを送受信するための通信インタフェース２１１ａと、電子掲示板を表示するための表示部２１１ｂと、電子掲示板から、コンテンツデータの識別情報を取得する識別情報取得部２１１ｃと、ホームネットワーク２０１に接続しているＨＤＤレコーダ２１３からコンテンツデータを読み出すコンテンツデータ読み出し部２１１ｄと、読み出したコンテンツデータをテレビ２１２に送信させて表示させる表示制御部２１１ｅとを備える。
【００８５】
次に、図１１および図１２を用いて、本発明の第４の実施形態に係わるネットワークシステムの動作について説明する。
まず、ユーザは端末２１１が有するＷｅｂブラウザなどを利用して電子掲示板を端末１２１の表示部２１１ｂに表示する。
次に、端末２１１の識別情報取得部２１１ｃは、例えば、電子掲示板上のハイパーリンクをクリックするなどのユーザからの指示により、電子掲示板サーバ２２１から、公衆ネットワークを介して、コンテンツデータの識別情報を取得する。なお、電子掲示板サーバ２２１が提供する電子掲示板のＷｅｂサイトのデータが、すでに端末２１１のメモリ（図示しない）に記憶されている場合には、新たに電子掲示板サーバ２２１にアクセスすることなく、端末２１１のメモリに記憶されたデータから、コンテンツデータの識別情報を取得するようにしてもよい。
【００８６】
このようにして端末２１１の識別情報取得部２１１ｃがコンテンツデータの識別情報を取得すると、次に、端末２１１のコンテンツデータ読み出し部２１１ｄが、ホームネットワーク２０１に接続されたＨＤＤレコーダ２１３から、取得したコンテンツデータの識別情報に対応するコンテンツデータを読み出する。
【００８７】
具体的には、まず、端末２１１からＨＤＤレコーダ２１３に対して、公衆ネットワーク２０２を介してアクセスの許可を求めるメッセージを送信する。アクセスの許可は、例えば、あらかじめＨＤＤレコーダ２１３へのアクセスを認めるユーザもしくは端末について、ユーザＩＤとパスワードを設定しておき、正しいユーザＩＤとパスワードを用いてアクセスの許可が求められた場合にアクセスを認めるようにすればよい。
【００８８】
あるいは、ＨＤＤレコーダ２１３との間で直接アクセスの許可を求める通信を行うのではなく、ホームネットワーク２０１上に、公衆ネットワーク２０２を介したホームネットワーク２０１へのアクセスの可否を管理する管理端末（例えば、ホームゲートウエイなど）を設けておき、まず、この管理端末との間で端末の認証を行ってから、ホームネットワーク２０２上の機器との間でデータの送受信を行えるようにしてもよい。
【００８９】
あるいは、インターネット上に何らかのサーバ（ホームネットワーク１０１、あるいは、そこに接続された特定の端末への接続が許可されたサーバ）が存在し、このサーバが上記の管理端末と同様の働きをするようにしてもよい。このとき、携帯端末と管理端末（またはサーバ）との間のプロトコルと、管理端末（またはサーバ）とＨＤＤレコーダ２１３との間のプロトコルは、異なるプロトコルであってもよい。
【００９０】
端末２１１からＨＤＤレコーダ２１３へのアクセスが認められると、次に、端末２１１のコンテンツデータ読み出し部２１１ｄが、ＨＤＤレコーダ２１３から、取得したコンテンツデータの識別情報に対応するコンテンツデータを読み出す。
【００９１】
ホームネットワーク２０１に接続されたＨＤＤレコーダ２１３からコンテンツデータを検索して読み出す方法としては、例えば、ＨＤＤレコーダ２１３に読み出そうとするコンテンツデータの識別情報を送信し、ＨＤＤレコーダ２１３がその識別情報に対応するコンテンツデータを記憶しているか否かを回答させるようにすればよい。
【００９２】
端末２１１のコンテンツデータ読み出し部２１１ｄがＨＤＤレコーダ２１３に記憶されているコンテンツデータを読み出すと、次に、端末２１１の表示制御部２１１ｅが、その読み出されたコンテンツデータを、ホームネットワーク２０１上のテレビ２１２に出力して表示させるようにＨＤＤレコーダ２１３およびテレビ２１２を制御する。
【００９３】
具体的には、まず、端末２１１の表示制御部２１１ｅは、ホームネットワーク２０１を介したコンテンツデータの送信と、その送信先を指示する制御メッセージを、公衆ネットワーク２０２を介して、ＨＤＤレコーダ２１３に送信する。そして表示制御部２１１ｅは、これとあわせて、ＨＤＤレコーダ２１３からホームネットワーク２０１を介して送信されるコンテンツデータを受信して表示するように指示する制御メッセージを、公衆ネットワーク２０２を介して、テレビ２１２に送信する。
【００９４】
このようにして、ＨＤＤレコーダ２１３に記憶されているコンテンツデータを、ホームネットワーク２０１を介してテレビ２１２に送信して表示させるようにすることで、ユーザは、そのコンテンツデータをテレビ２１２で視聴することが可能になる。このとき、公衆ネットワーク２０２を介して電子掲示板サーバ２２１と端末２１１との間で送受信されているデータ、および、公衆ネットワーク２０２を介してホームネットワーク２０１上の機器と端末２１１との間で送受信されているデータは、コンテンツデータの識別情報、もしくは、機器の動作を指示する制御メッセージであり、コンテンツデータ自身は公衆ネットワーク２０２を介しては送受信されていない。そのため、上述したような、コンテンツデータの容量が公衆ネットワークで送受信できる容量を超えているために、公衆ネットワークを介してコンテンツデータを送受信できない、といった問題が生じることがない。
【００９５】
このように、本発明の第４の実施形態に係わる端末２１１を含むネットワークシステムによれば、端末２１１がホームネットワーク２０１に接続されていない場合でも、公衆ネットワーク２０２を介してコンテンツデータの送受信を行うことなく、ホームネットワーク２０１上のテレビ２１２を用いてコンテンツデータの視聴を行うことが可能になる。
【００９６】
なお、上述した実施形態では、端末２１１からＨＤＤレコーダ２１３などへの制御メッセージの送信は、公衆ネットワーク２０２を介して行うこととしていたが、制御メッセージの送信は、公衆ネットワーク２０２とは別の、例えば、公衆電話回線網などを用いて行ってもよい。例えば、前述の管理端末（またはインターネット上のサーバ）がＷｅｂサーバであり、これがＣＧＩ（Ｃｏｍｍｏｎ  Ｇａｔｅｗａｙ  Ｉｎｔｅｒｆａｃｅ）、または何らかのスクリプトなどによって、ＨＤＤレコーダ２１３などへ制御コマンドを発行できるようにしておき、携帯端末は、このＷｅｂサーバに対してコマンド（Ｗｅｂサービスに対するコマンドなど）を送信するようにすればよい。
【００９７】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００９８】
１０１、２０１・・・ホームネットワーク
１０２、２０２・・・公衆ネットワーク
１１１、２１１・・・端末
１１２、２１２・・・テレビ
１１３、２１３・・・ＨＤＤレコーダ
１１４、２１４・・・ルータ
１２１、２２１・・・電子掲示板サーバ
１１１ａ、２１１ａ・・・通信インタフェース
１１１ｂ、２１１ｂ・・・表示部
１１１ｃ、２１１ｃ・・・識別情報取得部
１１１ｄ、２１１ｄ・・・コンテンツデータ読み出し部
１１１ｅ、２１１ｅ・・・表示制御部
１１１ｆ・・・識別情報読み出し部
【図１】
2010225184.tif 000003
【図２】
2010225184.tif 000004
【図３】
2010225184.tif 000005
【図４】
2010225184.tif 000006
【図５】
2010225184.tif 000007
【図６】
2010225184.tif 000008
【図７】
2010225184.tif 000009
【図８】
2010225184.tif 000010
【図９】
2010225184.tif 000011
【図１０】
2010225184.tif 000012
【図１１】
2010225184.tif 000013
【図１２】
2010225184.tif 000014